(57)【特許請求の範囲】
【請求項１】
流体を噴出させるノズルであって、
流体が流れる下流に向かって内部が窄まる収束部と、
流体が流れる中途において、前記収束部の上流端における流通断面よりも狭くなった流通断面を有する絞り部と、
前記絞り部と連通するダクト部と、
前記収束部の上流端と離して設けられ、前記収束部の上流端側から下流端側へ向けて前記収束部の内部に流体を噴出させる流動発生部と、を備え、
前記ダクト部の一端が前記絞り部の内部に開口しており、
前記流動発生部から液体が噴出されることで、前記収束部の上流端と前記流動発生部との間の液体が前記収束部の内部へ引き込まれ、前記ダクト部から前記絞り部の内部へ気体が引き込まれ、気泡を含む液体を噴出させる、
ことを特徴とするノズル。
【請求項２】
流体を噴出させるノズルであって、
流体が流れる下流に向かって内部が窄まる収束部と、
流体が流れる中途において、前記収束部の上流端における流通断面よりも狭くなった流通断面を有する絞り部と、
前記絞り部と連通するダクト部と、
前記収束部の上流端と離して設けられ、前記収束部の上流端側から下流端側へ向けて前記収束部の内部に流体を噴出させる流動発生部と、を備え、
前記ダクト部の一端が前記絞り部の内部に開口しており、
前記流動発生部の噴出口が前記収束部の上流端側から前記収束部の内部へ差し入れられ、前記流動発生部の噴出口を有する先端外形が窄まっている、
ことを特徴とするノズル。
【請求項３】
流体を噴出させるノズルであって、
流体が流れる下流に向かって内部が窄まる収束部と、
流体が流れる中途において、前記収束部の上流端における流通断面よりも狭くなった流通断面を有する絞り部と、
前記絞り部と連通するダクト部と、
前記収束部の上流端と離して設けられ、前記収束部の上流端側から下流端側へ向けて前記収束部の内部に流体を噴出させる流動発生部と、
前記収束部よりも下流側に設けられ、下流に向かって内部が末広がる発散部と、を備え、
前記ダクト部の一端が前記絞り部の内部に開口しており、
前記ダクト部の一端が開口された前記絞り部の個所は、前記発散部の下流端よりも前記収束部の上流端に近い、
ことを特徴とするノズル。
【請求項４】
流体を噴出させるノズルと、
液体が張られた洗浄槽と、を備え、
前記ノズルは、
流体が流れる下流に向かって内部が窄まる収束部と、
流体が流れる中途において、前記収束部の上流端における流通断面よりも狭くなった流通断面を有する絞り部と、
前記絞り部と連通するダクト部と、
前記収束部の上流端と離して設けられ、前記収束部の上流端側から下流端側へ向けて前記収束部の内部に流体を噴出させる流動発生部と、を備え、
前記ダクト部の一端が前記絞り部の内部に開口しており、
前記ノズルが前記洗浄槽の液体に浸漬された状態において、前記ダクト部の他端側から前記ダクト部の内部に大気圧によって空気が供給されており、
前記流動発生部から液体が噴出されることで、前記収束部の上流端と前記流動発生部との間の液体が前記収束部の内部へ引き込まれ、前記ダクト部から前記絞り部の内部へ空気が引き込まれ、気泡を含む液体で洗浄する、
ことを特徴とする洗浄装置。
【請求項５】
前記収束部の上流端は、前記洗浄槽内に開口しており、
前記流動発生部の噴出口が、前記収束部の上流端から離れて向かい合っている、
請求項４記載の洗浄装置。
【請求項６】
前記洗浄槽内の液体を前記流動発生部へ供給するポンプを備えている、
請求項４または５記載の洗浄装置。
【発明の詳細な説明】
【技術分野】
【０００１】
本発明は、ノズルおよび洗浄装置に関する。
【背景技術】
【０００２】
特開２００７−７３６１５号公報（以下、特許文献１という）には、ラバールノズルと、この上流側に圧縮気体供給部と、下流側に加速冷却部とが設けられた本体内に、圧縮気体の流れと同方向に洗浄液を吐出する供給管を備えた洗浄ノズルが記載されている。この洗浄ノズルによれば、微細な氷粒子および過冷却液滴を超高速で噴射して、洗浄対象物表面の汚染物質を除去することができる。
【先行技術文献】
【特許文献】
【０００３】
【特許文献１】特開２００７−７３６１５号公報（段落００１９、図１）
【発明の概要】
【発明が解決しようとする課題】
【０００４】
しかしながら、特許文献１のように洗浄ノズルから微細な氷粒子および過冷却液滴を噴射させなくとも、洗浄対象物によっては汚染物質を除去することができれば差し障りがないものがある。また、特許文献１に記載のような微細な氷粒子（ブラスト材）では、洗浄対象物の表面に衝突するため、表面が損傷してしまうおそれもある。
【０００５】
本発明の一目的は、流体を噴出させるノズルにおいて複数の流体を一緒に噴出させることのできる技術を提供することにある。
【課題を解決するための手段】
【０００６】
一解決手段に係るノズルは、流体を噴出させるものである。前記ノズルは、流体が下流に向かって内部が窄まる収束部を備えている。前記ノズルは、流体が流れる中途において、前記収束部の上流端における流通断面よりも狭くなった流通断面を有する絞り部を備えている。前記ノズルは、前記絞り部と連通するダクト部を備えている。前記ノズルは、前記収束部の上流端と離して設けられ、前記収束部の上流端側から下流端側へ向けて前記収束部の内部に流体を噴出させる流動発生部を備えている。
【発明の効果】
【０００７】
一解決手段によれば、流体を噴出させるノズルにおいて複数の流体を一緒に噴出させることができる。
【図面の簡単な説明】
【０００８】
【図１】本発明の一実施形態に係るノズルの模式図である。
【図２】本発明の他の実施形態に係るノズルの模式図である。
【図３】本発明の他の実施形態に係るノズルの模式図である。
【図４】本発明の他の実施形態に係るノズルの側面図である。
【図５】図４に示すノズルの断面図である。
【図６】本発明の一実施形態に係る洗浄装置の側面図である。
【図７】図６に示す洗浄装置の平面図である。
【図８】本発明の他の実施形態に係るノズルの模式図である。
【発明を実施するための最良の形態】
【０００９】
以下の本発明における実施形態では、必要な場合に複数のセクションなどに分けて説明するが、原則、それらはお互いに無関係ではなく、一方は他方の一部または全部の変形例、詳細などの関係にある。このため、全図において、同一の機能を有する部材には同一の符号を付し、その繰り返しの説明は省略する。また、構成要素の数（個数、数値、量、範囲などを含む）については、特に明示した場合や原理的に明らかに特定の数に限定される場合などを除き、その特定の数に限定されるものではなく、特定の数以上でも以下でも良い。また、構成要素などの形状に言及するときは、特に明示した場合および原理的に明らかにそうではないと考えられる場合などを除き、実質的にその形状などに近似または類似するものなどを含むものとする。
【００１０】
（第１実施形態）
本実施形態では、本発明に係るノズル１０について図１を参照して説明する。図１は、ノズル１０の模式図である。ノズル１０は、噴出口１１から流体（例えば、気泡を含む液体）を噴出させるものである。
【００１１】
ノズル１０は、収束部２０を備えている。収束部２０は、中空の内部２１を有している。また、収束部２０は、流体が流れる方向における上流端２２（一方端）および下流端２３（他方端）を有している。上流端２２および下流端２３は、開口しており、内部２１を開放することとなる。内部２１は、流体が流れる方向における上流端２２から下流端２３（ノズル１０では噴出口１１でもある）に向かって窄まって構成されている。すなわち、内部２１では流体が通る方向の断面（流通断面）が、上流端２２から下流端２３に向かって小さくなっている。
【００１２】
また、ノズル１０は、絞り部３０を備えている。絞り部３０は、流体が流れる中途において、収束部２０の上流端２２における流通断面Ｓ２２よりも狭くなった流通断面Ｓ３０を有している。この絞り部３０は、中空の内部３１を有している。ノズル１０では、収束部２０の下流端２３側の一部が絞り部３０として構成されている。このため、収束部２０の下流端２３の流通断面Ｓ２３が、絞り部３０の流通断面Ｓ３０よりも狭くなっている。
【００１３】
また、ノズル１０は、絞り部３０と連通するダクト部４０を備えている。ダクト部４０は、流体が通る管として設けられ、一端が絞り部３０の内部３１で開口している。すなわち、ダクト部４０から絞り部３０の内部３１（収束部２０の内部２１）へ流体が取り込まれる。ダクト部４０の流通断面Ｓ４０は、絞り部３０の流通断面Ｓ３０より狭くなっている。これにより、上流からの流体は、ダクト部４０ではなく絞り部３０を通過して噴出口１１へ向かって流れていくことができる。また、ノズル１０では、内部３１（内部２１）で開口するダクト部４０の一端は噴出口１１（収束部２０の下流端２３）よりも上流に位置している。これにより、流体が流れる中途においてダクト部４０を設けても、流体が噴出口１１から噴出される前に流れを整えることができる。
【００１４】
また、ノズル１０は、流動発生部５０を備えている。流動発生部５０は、収束部２０の上流端２２と離して設けられている。流動発生部５０は、収束部２０の上流端２２側から下流端２３側へ向けて収束部２０の内部２１に流体を噴出（注入）させるもの（流動発生ノズル）である。流動発生部５０の内部５１を開放する噴出口５２の流通断面Ｓ５２（開口面積Ｓ５２でもある）は、収束部２０の上流端２２の流通面積Ｓ２２（開口面積Ｓ２２でもある）よりも小さく構成されている。これにより、流動発生部５０は、収束部２０の上流端２２から内部２１へ流体を噴出させやすい。なお、流動発生部５０は、例えば、ポンプなどの動力によって流体を噴出させることができる。
【００１５】
例えば、収束部２０の上流端２２周辺の空間に流体Ｆ１が存在している場合、流動発生部５０から流体Ｆ２が噴出されると流速が増加することになり、その流れが生じている周辺が減圧される。上流端２２側から収束部２０の内部２１へ流体Ｆ２が流れているので、流体Ｆ１が存在する上流端２２側の内部２１も減圧される。このため、流体Ｆ２の周辺にある流体Ｆ１が収束部２０の内部２１に引き込まれ、流体Ｆ１の流れが発生する。また、ノズル１０では、流動発生部５０の噴出口５２が、収束部２０の上流端２２と向かい合って離れている。このため、向かい合っている空間に存在する流体Ｆ１を収束部２０の内部２１へ引き込み易くすることができる。
【００１６】
そして、ノズル１０において、収束部２０の内部２１を流体が流れると、流通断面が狭くなる絞り部３０の内部３１において流速が増加し、減圧される。このとき、絞り部３０の内部３１の圧力がダクト部４０の他端側の圧力より低いと、他端側にある流体Ｆ３がダクト部４０を通って内部３１に引き込まれる（あるいはダクト部４０の他端側の圧力によって押し込まれる）。これにより、ダクト部４０から絞り部３０の内部３１（収束部２０の内部２１）へ流体Ｆ３を供給することができる。
【００１７】
より具体的には、流体Ｆ１および流体Ｆ２を液体とし、流体Ｆ３を気体とした場合、ノズル１０からは気泡を含む液体を噴出することができる。定常状態から収束部２０の上流端２２周辺での流速増加により、液体（流体Ｆ１）と液体（流体Ｆ２）とが混ざり合った液体が生成される。そして絞り部３０において液体の流速増加に伴って減圧となり、ダクト部４０から気体（流体Ｆ３）が供給される。このとき、キャビテーションが発生しやすくなり、混合された液体（流体Ｆ１および流体Ｆ２）と気体（流体Ｆ３）とが混ざり合う、すなわち気泡を含む液体が生成される。
【００１８】
このように、ノズル１０によれば、複数の流体を一緒に噴出させることができる。そして、例えば、気泡を含む液体を洗浄対象物に向けて噴出させることで、被洗浄対象物への損傷を防止して洗浄することができる。
【００１９】
（第２実施形態）
本実施形態では、本発明に係るノズル１０Ａについて図２を参照して説明する。図２は、ノズル１０Ａの模式図である。ノズル１０Ａは、噴出口１１から流体（例えば、気体を含む液体）を噴出させるものである。ノズル１０Ａは、収束部２０と、絞り部３０と、ダクト部４０と、流動発生部５０Ａとを備えている。
【００２０】
第１実施形態では、噴出口５２を有する流動発生部５０の内部５１を円筒状とした。これに対して、本実施形態では、噴出口５２を有する流動発生部５０Ａの先端側の内部５１が窄まる（先細る）点で相違する。すなわち、流動発生部５０Ａの内部５１では流通断面が、噴出口５２に向かって小さくなっている。なお、下流の噴出口５２に対する上流からは、例えば、ポンプなどの動力によって流体が供給される。
【００２１】
上流からの供給圧を同じとして、流動発生部５０と流動発生部５０Ａとを比較した場合、流動発生部５０Ａからは流速がより増加した流体Ｆ２が噴出される。このため、収束部２０の内部２１へ流体Ｆ２を噴出（注入）させやすくすることができる。また、収束部２０の内部２１を通り抜け、ノズル１０Ｂの噴出口１１から遠くまで噴出（放出）させやすくすることができる。また、流動発生部５０Ａからの流体Ｆ２の流速が増加することにより、その流体周辺が減圧されるので、収束部２０の上流端２２の周辺やその離れた位置にある流体Ｆ１が収束部２０の内部２１に引き込まれ易くすることができる。
【００２２】
なお、ダクト部４０からは絞り部３０の内部３１（収束部２０の内部２１）へ流体Ｆ３が供給されやすくなるように、ダクト部４０の流通断面Ｓ４０は、流動発生部５０、５０Ａの噴出口５２の流通断面Ｓ５２よりも広くなっている。
【００２３】
また、第１実施形態では、流動発生部５０の噴出口５２を収束部２０の上流端２２と向かい合わせた。これに対して、本実施形態では、流動発生部５０Ａの噴出口５２が収束部２０の内部２１へ上流端２２側から差し入れられている点で相違する。噴出口５２が収束部２０の内部２１へ差し入れられることで、確実に収束部２０の内部２１へ流体を噴出（注入）させることができる。
【００２４】
他方、噴出口５２が収束部２０の内部２１へ差し入れられると、収束部２０の上流端２２が内部２１の一部を占めることとなり、その周辺から収束部２０の内部２１へ引き込まれる流体の流れが低下するおそれがある。そこで、流動発生部５０Ａの先端外形も内部５２のように窄まる（先細る）形状とすることで、収束部２０の上流端２２周辺に存在する流体を引き込み易くすることができる。
【００２５】
このようなノズル１０Ａによれば、複数の流体を一緒に噴出させることができる。そして、例えば、気泡を含む液体を洗浄対象物に向けて噴出させることで、被洗浄対象物への損傷を防止して洗浄することができる。
【００２６】
（第３実施形態）
本実施形態では、本発明に係るノズル１０Ｂについて図３を参照して説明する。図３はノズル１０Ｂの模式図である。ノズル１０Ｂは、噴出口１１から流体（例えば、気体を含む液体）を噴出させるものである。ノズル１０Ｂは、収束部２０と、絞り部３０と、ダクト部４０と、流動発生部５０Ａと、発散部６０とを備えている。
【００２７】
第１実施形態では、ノズル１０の収束部２０から流体を噴出するものとした。これに対して、本実施形態では、ノズル１０Ｂの発散部６０から流体を噴出するものとする点で相違する。発散部６０は、収束部２０よりも下流側に設けられている。発散部６０は、中空の内部６１を有している。また、発散部６０は、流体が流れる方向における上流端６２（一方端）および下流端６３（他方端）を有している。上流端６２および下流端６３は、開口しており、内部６１を開放することとなる。この下流端６３がノズル１０Ｂの噴出口１１となる。
【００２８】
発散部６０は、収束部２０と連通している。ノズル１０Ｂでは、収束部２０の下流端２３と発散部６０の上流端６２とが合わさっており、収束部２０の内部２１と発散部６０の内部６１とは連続している。そして、発散部６０の内部６１は、下流に向かって末広がりに構成されている。すなわち、内部６１では流通断面が、上流端６２から下流端６３に向かって大きくなっている。このため、ノズル１０Ｂの噴出口１１から流体を広角に噴出させることができる。
【００２９】
また、絞り部３０は、発散部６０の下流端６３（噴出口１１）よりも収束部２０の上流端２２に近い。すなわち、ダクト部４０が連通する絞り部３０は、噴出口１１から遠ざかっている。これにより、ダクト部４０から供給された流体Ｆ３を含んでから暫くして流体を噴出口１１から噴出させることができる。
【００３０】
より具体的には、流体Ｆ１および流体Ｆ２を液体とし、流体Ｆ３を気体とした場合、ノズル１０Ｂからは気泡を含む液体が噴出することができる。ダクト部４０から気体（流体Ｆ３）が供給されると、絞り部３０でキャビテーションが発生しやすくなる。このとき発生した気泡は、絞り部３０から噴出口１１までの間において、液体（流体Ｆ１）と液体（流体Ｆ２）とが混ざり合った液体の流れに乗るようになる。すなわち、気泡を含む液体が生成される。
【００３１】
このようなノズル１０Ｂによれば、複数の流体を一緒に広い範囲に噴出させることができる。そして、例えば、気泡を含む液体を洗浄対象物に向けて噴出させることで、被洗浄対象物への損傷を防止して洗浄することができる。
【００３２】
（実施形態４）
本実施形態では、本発明に係るノズル１０Ｃおよび洗浄装置７０について図４〜図７を参照して説明する。図４および図５は、それぞれノズル１０Ｃの模式的な側面図および断面図である。図６および図７は、それぞれ洗浄装置７０の模式的な側面図および平面図である。
【００３３】
ノズル１０Ｃは、収束部２０と、絞り部３０と、ダクト部４０と、流動発生部５０Ａと、発散部６０とを備えている。ノズル１０Ｃでは、収束部２０と流動発生部５０との間に空間Ｓｐができるようにブリッジ１２によって収束部２０と流動発生部５０Ａとが連結されている。
【００３４】
また、洗浄装置７０は、ノズル１０Ｃと、ノズル１０Ｃが浸漬される洗浄槽７１とを備えている。洗浄装置７０は、浸漬されたノズル１０Ｃから気泡を含む液体を噴出させ、これにより洗浄槽７１に入れられた洗浄対象物を洗浄するものである。すなわち、洗浄槽７１に水を張った状態で浸漬されたノズル１０Ｃでは、流体Ｆ１および流体Ｆ２を水とし、流体Ｆ３を空気として、気泡を含む水を噴出させることができる。
【００３５】
また、洗浄装置７０は、ノズル１０Ｃおよび洗浄槽７１の他に、更に、水供給部７２と、濾過槽７３と、ポンプ７４と、篩部７５とを備えている。洗浄槽７１は、オーバーフロー部７６を備えている。洗浄槽７１に水供給部７２から水が供給され続けると、オーバーフロー部７６から水が溢れる。溢れた水は濾過槽７３に流れ、濾過槽７３では濾過された水は貯留され、その一部はドレイン７７から排水される。
【００３６】
ポンプ７４は、濾過槽７３とノズル１０Ｃの流動発生部５０Ａとの間に接続されている。ポンプ７４の駆動により、濾過槽７３で貯留されている水が流動発生部５０Ａへ供給される。ポンプ７４から流動発生部５０Ａへの供給量（流動発生部５０Ａからの噴出量）は、バルブ７８によって調整することができる。また、洗浄槽７１の底部に設けられた篩部７５（例えば、パンチングメタル）により、洗浄対象物からの大きな汚染物質が分離される。大きな汚染物質を含む水は、洗浄槽７１に設けられたドレイン（不図示）から排水される。
【００３７】
ここで、ノズル１０Ｃは洗浄槽７１に浸漬されているので、収束部２０、絞り部３０、ダクト部４０、流動発生部５０Ａ、および発散部６０が水中に沈んでいる（水面ＷＬ下にある）。このため、流動発生部５０Ａと収束部２０との間およびその周辺の空間Ｓｐには水が存在する。また、収束部２０の内部２１、絞り部３０の内部３１、および発散部６０の内部６１には水が存在する。また、ノズル１０Ｃの噴出口１１の周辺には水が存在する。ところで、ダクト部４０の他端にはホース４１の一端が接続され、そのホース４１の他端が洗浄槽７１の水から出た状態となっている（素面ＷＬ上にある）。このため、ダクト部４０には大気圧がかかった状態で空気が存在する。
【００３８】
ポンプ７４が駆動して流動発生部５０Ａの上流から水が流れると、流動発生部５０Ａからの噴出により水の流速が増加し、その噴出水の周辺が減圧される。このとき、流動発生部５０Ａから噴出された水周辺の圧力が、収束部２０の上流端２２から離れた位置の圧力よりも低いので、その周辺や離れた位置にある洗浄槽７１内の水が収束部２０の内部２１に引き込まれやすくなる。これにより、洗浄槽７１からの水（流体Ｆ１）と流動発生部５０Ａ（ポンプ７４）からの水（流体Ｆ２）が混ぜ合わさった水の流れが収束部２０の内部２１に発生する。
【００３９】
ノズル１０Ｃにおいて、収束部２０の内部２１を水が流れると、流通断面が狭くなる絞り部３０の内部３１において流速が増加し、その周りの圧力が減圧される。このとき、絞り部３０の内部３１の圧力がダクト部４０の他端側の圧力（大気圧）より低いので、ダクト部４０を通って空気（流体Ｆ３）が内部３１に引き込まれる。これにより、ダクト部４０から絞り部３０の内部３１（収束部２０の内部２１）へ空気を供給することができる。このとき、キャビテーションが発生しやすくなり、水と気体とが混ざり合う、すなわち気泡を含む液体が生成される。
【００４０】
このように、ノズル１０Ｃによれば、気泡を含む水を洗浄槽７１内の洗浄対象物Ｗに向けて噴出させることで、被洗浄対象物Ｗへの損傷を防止して洗浄することができる。また、洗浄槽７１に浸漬されたノズル１０Ｃによれば、ノズル１０Ｃから噴出された水（流体Ｆ１）がノズル１０Ｃの収束部２０の上流端２２側から吸い込まれることとなるので、旋回流を発生し、洗浄槽７１内で水を循環させることができる。
【００４１】
例えば、洗浄対象物Ｗが根菜や葉菜であり、汚染物質として泥が付着していたとしても、水流と気泡によって優しく洗浄（泥落とし）することができる。また、洗浄対象物Ｗに気泡が衝突して破裂することでキャビテーション洗浄することができる。また、気泡の浮上による汚れや異物の分離や剥離を行うことができる。また、ノズル１０Ｃでは収束部２０の上流端２２と流動発生部５０Ａとの間が離れているため、仮に泥を含む水であっても上流端２２での詰まりを防止し、噴出口１１から気泡を含む水を噴出することができる。また、ノズル１０Ｃによれば、例えば、水道圧（０．０７ＭＰａ〜０．１ＭＰａ）はもちろん、これよりも低い水圧（例えば、１２０Ｌ／分にて０．０５Ｐａ）のポンプ７４を用いたとしても、噴出口１１から気泡を含む水を噴出することができる。
【００４２】
（第５実施形態）
本実施形態では、本発明に係るノズル１０Ｄについて図８を参照して説明する。図８はノズル１０Ｄの模式図である。ノズル１０Ｄは、噴出口１１から流体（例えば、気体を含む液体）を噴出させるものである。ノズル１０Ｂは、収束部２０と、絞り部３０と、ダクト部４０と、流動発生部５０Ａと、発散部６０と、タンク部８０とを備えている。
【００４３】
第４実施形態では、ノズル１０Ｃを浸漬して使用するものとした。これに対して、本実施形態では、ノズル１０Ｄを浸漬させずとも使用するものとする点で相違する。タンク部８０は、流動発生部５０Ａと収束部２０の上流端２２との間の空間を内包する内部８１を有するものである。このタンク部８０は、外部から流体Ｆ１が供給されるよう構成されている。
【００４４】
例えば、流動発生部５０Ａから流体Ｆ２が噴出されると流速が増加することになり、その流れが生じている周辺が減圧される。このとき、外部からタンク部８０に流体Ｆ１を供給し、タンク部８０内を流体Ｆ１で満たすようにする。流動発生部５０Ａにより上流端２２側から収束部２０の内部２１へ流体Ｆ２が流れているので、流体Ｆ１が存在する上流端２２側の内部２１も減圧される。このため、流体Ｆ２の周辺にある流体Ｆ１が収束部２０の内部２１に引き込まれ、流体Ｆ１の流れが発生する。
【００４５】
そして、ノズル１０Ｄにおいて、収束部２０の内部２１を流体が流れると、流通断面が狭くなる絞り部３０の内部３１において流速が増加し、減圧される。このとき、絞り部３０の内部３１の圧力がダクト部４０の他端側の圧力より低いと、他端側にある流体Ｆ３がダクト部４０を通って内部３１に引き込まれる。これにより、ダクト部４０から絞り部３０の内部３１（収束部２０の内部２１）へ流体Ｆ３を供給することができる。
【００４６】
すなわち、ノズル１０Ｄによれば、複数の流体を一緒に噴出させることができる。そして、例えば、気泡を含む液体を洗浄対象物に向けて噴出させることで、被洗浄対象物への損傷を防止して洗浄することができる。例えば、流体Ｆ１として洗浄液（原液）、流体２として水、流体Ｆ３として空気、不活性ガス、炭酸ガス、オゾンガスを用いることができる。
【００４７】
以上、本発明を実施形態に基づき具体的に説明したが、本発明は前記実施形態に限定されるものではなく、その要旨を逸脱しない範囲で種々変更可能であることはいうまでもない。
【００４８】
前記実施形態では、収束部の内部は上流端から下流端に向かって窄まる形状であれば、例えば、テーパ状（円錐台状）であっても、ラッパ状であってもよい。
【００４９】
また、前記実施形態では、絞り部が収束部の下流端側の一部として構成された場合について説明したが、内部が連続するように収束部の下流端に絞り部を設けるように構成することもできる。また、収束部の下流端と絞り部とを連通（内部を連続）させた場合において、発散部の上流端側の一部を絞り部として構成することもできる。なお、絞り部にはダクト部が連通される。
【符号の説明】
【００５０】
１０  ノズル；  ２０  収束部；  ２１  内部；  ２２  上流端；  ２３  下流端；  ３０  絞り部；  ４０  ダクト部；  ５０  流動発生部；  Ｓ２２、Ｓ３０  流通断面
【要約】
【課題】流体を噴出させるノズルにおいて複数の流体を一緒に噴出させることのできる技術を提供する。
【解決手段】ノズル（１０）は、流体が流れる下流に向かって内部（２１）が窄まる収束部（２０）を備える。また、ノズル（１０）は、流体が流れる中途において、収束部（２０）の上流端（２２）における流通断面（Ｓ２２）よりも狭くなった流通断面（Ｓ３０）を有する絞り部（３０）を備える。また、ノズル（１０）は、絞り部（３０）と連通するダクト部（４０）を備える。また、ノズル（１０）は、収束部（２０）の上流端（２２）と離して設けられ、収束部（２０）の上流端（２２）側から下流端（２３）側へ向けて収束部（２０）の内部（２１）に流体を噴出させる流動発生部（５０）を備える。
【選択図】図１【図１】
0006812597.tif 000002
【図２】
0006812597.tif 000003
【図３】
0006812597.tif 000004
【図４】
0006812597.tif 000005
【図５】
0006812597.tif 000006
【図６】
0006812597.tif 000007
【図７】
0006812597.tif 000008
【図８】
0006812597.tif 000009